(57)【特許請求の範囲】
【請求項１】
室内機で熱交換を受ける空気に含まれる塵を集塵するための電気集塵フィルタ部を備える空気調和機において、
前記電気集塵フィルタ部は、
前記室内機本体に取り付けられたフィルタ保持枠と、
前記フィルタ保持枠に取り外し自在に装着されるフィルタ本体とを備え、
前記フィルタ本体は、
塵を荷電するための放電極と、
前記放電極を挟むように配置される塵を荷電するための対向電極と、
前記放電極と前記対向電極との間を通過して荷電された塵を捕獲する集塵用電極と、
前記放電極と前記対向電極と前記集塵用電極とを収納するとともに前記フィルタ保持枠に取り外し自在に形成されたフィルタ枠体と
を有し、
前記フィルタ枠体は、
前記放電極が取り付けられるフィルタ枠体本体と、
前記フィルタ枠体本体と分離自在に形成され前記対向電極及び前記集塵用電極が取り付けられる電極枠体と
から構成され、
前記集塵用電極は、
荷電された塵を捕獲する捕獲電極と、
荷電された塵を前記捕獲電極に向かわせるように作用する反捕獲電極とを有し、
前記電極枠体は、
前記捕獲電極が設けられた第１電極枠体と、
前記反捕獲電極が設けられた第２電極枠体とを有する
ことを特徴とする空気調和機。
【請求項２】
前記対向電極は前記補獲電極と一体的に前記第１電極枠体に設けられていることを特徴とする請求項１に記載の空気調和機。
【請求項３】
前記第１電極枠体と前記第２電極枠体とは、互いに分離自在に形成されていることを特徴とする請求項１または２に記載の空気調和機。
【請求項４】
前記放電極は線状の形状を有し、前記対向電極は板状の形状を有することを特徴とする請求項１乃至３に記載の空気調和機。
【請求項５】
前記放電極と前記対向電極との間、または前記集塵用電極の間に高電圧を印加する高圧電源は、前記フィルタ保持枠に配設されていることを特徴とする請求項１に記載の空気調和機。
【発明の詳細な説明】
【０００１】
【発明の属する技術分野】
本願発明は、空気調和機に係り、特に室内機で熱交換を受ける空気に含まれる塵を集塵するための電気集塵フィルタ部を備える空気調和機に関する。
【０００２】
【従来の技術】
図１３は、従来の空気調和機の室内機本体１０１に設けられた電気集塵フィルタ部１０２を示す。従来の電気集塵フィルタ部１０２では、フィルタ本体を構成する電極が取り付けられるための図１８に示すフィルタ枠体１０６が室内機本体１０１に取り付けられていた。
【０００３】
また、フィルタ枠体１０６内には、フィルタ本体を構成する構成部材である図１４に示す対向電極部１０３と図１５に示す放電極部１０４と図１６に示す集電部１０５とが、収納されていた。ここで、荷電部を構成する対向電極部１０３と放電極部１０４とは互いに強固に固着され、それぞれの部分に分解するのは極めて困難であった。そこで、この両部品を組合わせた状態でフィルタ枠体１０６から取り外し可能に構成されていた。
【０００４】
一方、集塵部１０５は、塵を集める部分であり、特に清掃が可能なように取手が設けられ、極めて容易にフィルタ枠体１０６から取り外しができるようになっている。
【０００５】
そこで、使用者は通常の清掃においては、最も塵の付着する集塵部１０５をフィルタ枠体１０６から取り外して洗浄などの清掃を行い、特に長期間の使用後に対向電極部１０３と放電極部１０４を同時に清掃するようにしていた。
【０００６】
【発明が解決しようとする課題】
このため、対向電極部１０３の対向電極や放電極部１０４の放電極や集電部１０５の集塵用電極の洗浄や補修等のメインテナンスが容易でないという問題があった。
【０００７】
しかしながら、対向電極部１０３と放電極部１０４は一体となっており、分解が困難であり、この一体となった状態では各電極の細かい清掃ができないという問題があった。特に対向電極部１０３と放電極部１０４には通常はほとんど塵の付着はないが、たまたま付着した場合には各電極間の隙間寸法が小さくなりその間で頻繁に放電現象が生じてしまうという問題があるため、そのメンテナンスにおいても対向電極部１０３と放電極部１０４を容易に分解できる構造が望まれていた。
【０００８】
そこで、本発明の目的は、上記従来技術の有する問題を解消し、洗浄や補修等を容易に行えメインテナンスの容易な電気集塵フィルタ部を備えた空気調和機を提供することである。
【０００９】
【課題を解決するための手段】
上記目的を達成するために、本願の第１の発明に係る空気調和機は、室内機で熱交換を受ける空気に含まれる塵を集塵するための電気集塵フィルタ部を備える空気調和機において、前記電気集塵フィルタ部は、前記室内機本体に取り付けられたフィルタ保持枠と、前記フィルタ保持枠に取り外し自在に装着されるフィルタ本体とを備え、前記フィルタ本体は、塵を荷電するための放電極と、前記放電極を挟むように配置される塵を荷電するための対向電極と、前記放電極と前記対向電極との間を通過して荷電された塵を捕獲する集塵用電極と、前記放電極と前記対向電極と前記集塵用電極とを収納するとともに前記フィルタ保持枠に取り外し自在に形成されたフィルタ枠体とを有し、前記フィルタ枠体は、前記放電極が取り付けられるフィルタ枠体本体と、前記フィルタ枠体本体と分離自在に形成され前記対向電極及び前記集塵用電極が取り付けられる電極枠体とから構成され、前記集塵用電極は、荷電された塵を捕獲する捕獲電極と、荷電された塵を前記捕獲電極に向かわせるように作用する反捕獲電極とを有し、前記電極枠体は、前記捕獲電極が設けられた第１電極枠体と、前記反捕獲電極が設けられた第２電極枠体とを有することを特徴とする。
【００１１】
本願の第２の発明に係る空気調和機は、第１の発明において、前記対向電極は前記補獲電極と一体的に前記第１電極枠体に設けられている。
【００１２】
本願の第３の発明に係る空気調和機は、第１または２の発明において、前記第１電極枠体と前記第２電極枠体とは、互いに分離自在に形成されている。
【００１３】
本願の第４の発明に係る空気調和機は、第１乃至３の発明において、前記放電極は線状の形状を有し、前記対向電極は板状の形状を有する。
【００１４】
本願の第５の発明に係る空気調和機は、第１の発明において、前記放電極と前記対向電極との間、または前記集塵用電極の間に高電圧を印加する高圧電源は、前記フィルタ保持枠に配設されている。
【００１５】
上述の発明において、電気集塵フィルタ部のフィルタ本体は、室内機本体に取り付けられたフィルタ保持枠に取り外し自在であるので、フィルタ本体を室内機本体から取り外しして容易に電気集塵フィルタ部のメインテナンスを行うことができる。
【００１６】
さらに、放電極と対向電極と集塵用電極とが取り付けられるフィルタ枠体は、フィルタ保持枠に対し取り外し自在に形成されており、放電極が取り付けられるフィルタ枠体本体と、フィルタ枠体本体と分離自在に形成され対向電極及び集塵用電極が取り付けられる電極枠体とを有するので、フィルタ枠体本体に取り付けれた放電極と電極枠体に取り付けられた対向電極と集塵用電極とを、狭い空間内で閉じこめられたままではなく互いに分離して洗浄や補修等を行うことができ、電気集塵フィルタ部のメインテナンスを容易に行うことができる。
【００１７】
【発明の実施の形態】
以下に図面を参照して本願発明の好適な実施の形態について説明する。
【００１８】
図１２は、室内機本体１の前面側１ａにある吸込グリル２を開け、プレフィルタ３を外し、さらに室内機本体１に取り付けられたフィルタ保持枠５からフィルタ本体部７と脱臭フィルタ９を取り外した状態を示す。
【００１９】
図１は、室内機本体１に装着された状態の電気集塵フィルタ部１０を示す。電気集塵フィルタ部１０は、室内機本体１に取り付けられたフィルタ保持枠５とフィルタ保持枠５に取り外し自在に装着されるフィルタ本体７とを備えている。
【００２０】
フィルタ保持枠５は、その端部固定部においてビスによって室内機本体１内の室内熱交換器の前面側端板にビス留めされて取り付けられている。
【００２１】
図２はフィルタ保持枠５を示す。フィルタ保持枠５は端部固定部１５を介して室内機本体１にねじ止めして取り付けられている。フィルタ保持枠５の右側部には、後述する荷電用電極と集塵用電極に高電圧を印加するための高圧電源５５が配設されている。フィルタ保持枠５における高圧電源５５の近傍には高圧電位にある導電性の板バネ７１が設けられており、フィルタ保持枠５の中央部にはグランド電位にある導電性の板バネ７２が設けられている。板バネ７１、７２は紙面の背面方向へ向かって押す力を跳ね返すように作用し、板バネ７１は後述する高電圧端子７５と接触し、板バネ７２はグランド端子７６と接触する。
【００２２】
図３（ａ）はフィルタ本体７を示す平面図であり、図３（ｂ）はその側面図である。フィルタ本体７は、塵を荷電させる荷電用電極と荷電された塵を捕獲する集塵用電極とから構成される電極部と、電極部が取り付けられるフィルタ枠体６０とを備えている。フィルタ枠体６０は、フィルタ保持枠５に取り外し自在に装着できるように形成されている。
【００２３】
以下に、図８乃至図１１を参照して、フィルタ枠体６０を備えるフィルタ本体７がフィルタ保持枠５に取り外し自在に装着可能に形成されていることについて詳細に説明する。
【００２４】
図８に示すように、フィルタ本体７が装着されるフィルタ保持枠５の両側にはフィルタ保持板２０が立設されている。
【００２５】
また、図９に示すようにフィルタ本体７は、横長の矩形状の外郭形状を有し、フィルタ本体７の両側の側面には、突出した係合部３１と、係合部３１の所定長さだけ上方に位置する案内突起部３２とが設けられている。フィルタ本体７の下部には把持部３４が形成されており、把持部３４の内側部には手をかけたときに手の指が位置決めされやすいように波形状凹凸部３４ａが形成されている。
【００２６】
図１０または図１１に示すように、係合部３１は円筒形状を有し、案内突起部３２は奥側（上側）に円筒形状の円筒部３２ａを有し手前側は板形状の板状部３２ｂを有する。
【００２７】
図８に示すように、フィルタ保持板２０には、係止部２２と案内部２４が形成されている。係止部２２には、室内機１の前面側１ａへ向かって開口する開口部２２ａと、室内機１の前面側１ａから後面側に向かって開口部２２ａから延びる係止溝部２２ｂが形成されている。
【００２８】
係止溝部２２ｂの上部には、爪２２ｃが設けられ、下部には保持部２２ｄが設けられる。フィルタ保持枠２２及びフィルタ保持板２０はともに合成樹脂製で一体化され、爪２２ｃは、弾性を有し、力を加えた場合、上下方向にわずかに曲がるように形成されている。一方、保持部２２ｄは、ほとんど変形しないように強固に形成されている。フィルタ本体７の係合部３１は、図１０に示すように、開口部２２ａから嵌入されて係止溝部２２ｂの上端部において、爪２２ｃと保持部２２ｄにはさまれて保持される。吸込グリル２を開けた状態で、係止部２２の開口部２２ａは室内機本体１の前面に面しているので外部からその位置を容易に視認することができる。
【００２９】
また、案内部２４には、室内機１本体の前面側１ａに対して斜め下方に向かって開口し開口部２２ａの近傍に位置する開口部２４ａと、開口部２４ａから斜め後部上方に延びる切り溝２４ｂが形成されている。切り溝２４ｂの奥端部２４ｃは半円状に形成され、図１０に示すように、案内突起部３２の円筒部３２ａの先端部が隙間なく奥端部２４ｃに当接できるように形成されている。
【００３０】
次ぎに、図１０および図１１を参照して、係合部３１の係止部２２に対する取り付け取り外しと、案内突起部３２の案内部２４に対する取り付け取り外しについて説明する。
【００３１】
図１０は、フィルタ本体７がフィルタ保持枠５に取り付けられている状態を示す。案内突起部３２の円筒部３２ａは、開口部２４ａから挿入され切り溝２４ｂに沿って案内され奥端部２４ｃに当接する。案内突起部３２の板状部３２ｂは、その挿入方向手前側の端部が切り溝２４ｂを形成する上面に接触しながら切り溝２４ｂの奥方向へ案内される。円筒部３２ａが奥端部２４ｃに当接した位置で、フィルタ本体７を前面側から後面側に押し込むことで係合部３１である円筒形状の突起が爪２２ｃを上方に押し曲げ、切り溝２２ｂの入り口を押し広げる。そして、さらに力を加えると突起３１は、爪２２ｃの先端を乗り越え、切り溝２２ｂの内部に嵌まり込む。この位置で突起３１は上方を爪２２の基部で、下方を保持部２２ｄで挟み込まれ固定される。すなわち、係合部３１が係止部２２に嵌入され、これと同時に板状部３２ｂの端部の切り溝２４ｂ上面への接触が解かれ、切り溝２４ｂと平行な位置関係になる。
【００３２】
図１１は、フィルタ本体７がフィルタ保持枠５に取り外す手順を示す。はじめ、フィルタ本体７とフィルタ保持枠５は図１０に示す状態にある。まず、把持部３４の波形状凹凸部３４ａに手をかけ、Ｃ方向、すなわち室外機１本体の前面部１ａの手前に向かう方向または手前斜め上方へ把持部３４を引く。このとき、案内突起部３２の円筒部３２ａは奥端部２４ｃに当接したまま回転し、案内突起部３２の板状部３２ｂは、切り溝２４ｂを形成する上面に接触するまで移動する。同時に、係合部３１である円筒形状の突起が爪２２ｃを上方に押し曲げ、係止溝部２２ｂの入り口を押し広げ最終的に、爪２２ｃの先端を乗り越え、係止溝部２２ｂの外に外れて前面部１ａから手前に向かって移動し板状部３２ｂが係止溝部２４ｂ上面に接触すると同時に移動を止める。
【００３３】
次に、把持部３４をＤ方向、すなわち室外機１本体の下方方向または下方斜め手前方向へ引く。案内突起部３２の円筒部３２ａは係止溝部２４ｂの奥端部２４ｃから離れ、案内突起部３２の板状部３２ｂは係止溝部２４ｂを形成する上面に接触しながら下方へ案内され、案内突起部３２の円筒部３２ａが開口部２４ａを抜け出て、案内突起部３２が案内部２４から取り外される。
【００３４】
次に、図３乃至図７を参照して、フィルタ保持枠５に対し取り外し自在に形成されたフィルタ本体７について詳細に説明する。
【００３５】
まず、図７を参照してフィルタ本体７における電極の構成と作用について概略的に説明する。
【００３６】
図７において、フィルタ本体７は、塵５０を荷電させる荷電用電極と荷電された塵５０ａを捕獲する集塵用電極を備えている。荷電用電極は、塵５０を荷電するための線状の放電極５１と、放電極５１を挟むように配置された板状の対向電極５２から構成されている。集塵用電極は、荷電された塵５０ａを捕獲する捕獲電極５３と、荷電された塵５０ａを捕獲電極５３に向かわせるように作用する反捕獲電極５４から構成されている。放電極５１と反捕獲電極５４は、高圧電源５５によって高電圧が印加され、対向電極５２と捕獲電極５３は、グランドの電位に設定されている。
【００３７】
図示しないファンによって室内機本体１内へ吸引された空気中の塵５０は放電極５１と対向電極５２との間を通過する間に正に荷電されて塵５０ａとなり、塵５０ａはさらに捕獲電極５３と反捕獲電極５４の間を通る間に高圧電位にある反捕獲電極５４による電気的反発を受け塵５０として捕獲電極５３に捕獲される。
【００３８】
なお、図７では、捕獲電極５３と反捕獲電極５４は対向電極５２に対し平行に配設されているように示されているが、実際は図６に示すように、捕獲電極５３と反捕獲電極５４は対向電極５２に対し垂直に配設されており、また、対向電極５２と捕獲電極５３とは一体的に形成されている。
【００３９】
次に、フィルタ本体７の構成について詳細に説明する。
【００４０】
前述したように、フィルタ保持枠５に取り外し自在に形成されたフィルタ枠体６０には、放電極５１と対向電極５２と捕獲電極５３と反捕獲電極５４からなる電極部が取り付けられる。
【００４１】
図３に示すフィルタ枠体６０は、図５に示すように放電極５１が取り付けられるフィルタ枠体本体６１と、図４に示すように対向電極５２及び集塵用電極５３、５４が取り付けられる電極枠体６２とを有する。電極枠体６２は後述するように、フィルタ枠体本体６１と分離自在に形成されている。また、図５に示すように、フィルタ枠体本体６１は、係合部３１と案内突起部３２を有し、フィルタ保持枠５に取り外し自在に形成されている。
【００４２】
図４において、電極枠体６２は、上辺部に突起６２ａ，６２ｂと下辺部に突起６２ｃを有する。また、図５において、フィルタ枠体本体６１には、上辺部に突起用孔６１ａ，６１ｂと下辺部に突起用孔６１ｃが形成されている。突起６２ａ，６２ｂと突起６２ｃは、取り外し自在に弾性的に６１ａ，６１ｂと突起用孔６１ｃに嵌入するようになっており、これによって電極枠体６２はフィルタ枠体本体６１と分離自在となる。
【００４３】
また、図４に示すように、電極枠体６２は、捕獲電極５３と対向電極５２とを一体的（図６を参照）に取り付ける第１電極枠体６３と、反捕獲電極５４を取り付ける第２電極枠体６５とを有する。第１電極枠体６３は、中央に対し左右に対称に形成された２個の同一パターンの部分を有し、同様に第２電極枠体６４は、中央に対し左右に対称に形成された２個の同一パターンの部分を有する。
【００４４】
図４における平面図（ａ）では、見やすくするために、左半分部分と対称な右半分部分を半分ずつ分解しその各部分を右半分の左右に示している。実際は、図６に示すように、捕獲電極５３と反捕獲電極５４は対向電極５２の背後にあり、捕獲電極５３と反捕獲電極５４は、ともに複数の板状で、各電極枠６３，６５の縦桟をなし、各板状電極は、交互に配列するように電極枠体５２内に配置されている。なお、本実施例では、第１電極枠体６３と第２電極枠体６４は電極枠体５２中央を境に左右にそれぞれに各々設けられている。
【００４６】
第１電極枠体６３の半分部分の各々は、取り外し自在に電極枠体６２の本体に装着される。また、第２電極枠体６４の半分部分の各々も取り外し自在に電極枠体５２の本体に装着される。
【００４７】
また、電極枠体６２の中央部には対向電極５２と捕獲電極５３とに電気的に導通するグランド端子７６が設けられている。フィルタ本体７がフィルタ保持枠５に装着されたときに、グランド端子７６はフィルタ保持枠５に設けられた板バネ７２と電気的に接触する。
【００４８】
また、図４において中央部に対し左半分と右半分の反捕獲電極５４は図示しない接続線によって電気的に接続されている。また、第２電極枠体６４には、フィルタ本体７がフィルタ保持枠５に装着されたときに反捕獲電極５４が後述する高電圧端子７４と電気的に接触できるように、接触端子が設けられている。
【００４９】
図５において、フィルタ枠体本体６１の右側部には、放電極５１の一端が電気的に接続された高電圧端子７４が設けられている。高電圧端子７４はその背面で前述したように反捕獲電極５４と電気的に接触するように形成されている。案内突起部３２の表裏面を挟むように、高電圧端子７４と導通する高電圧端子７５が配設されている。高電圧端子７５は、フィルタ本体７がフィルタ保持枠５に装着されたときに前述したように板バネ７１と接触し付勢される。
【００５０】
放電極５１は、高電圧端子７４に接続された一端に始まり左右に蛇行するようにフィルタ枠体本体６１に取り付けられ、フィルタ枠体本体６１の左側部にあるスプリング８０を介して終端している。フィルタ枠体本体６１には左右に複数の邪魔板８１が形成されている。放電極５１は邪魔板８１の背後に位置するように配設されており、室内機本体１の前面側１ａにある吸込グリル２を開けてプレフィルタ３をはずしても作業者の手が誤って接触してしまう危険がないようになっている。
【００５１】
以上、説明したように、本発明の実施の形態によれば、次のような効果を奏することができる。
【００５２】
フィルタ本体７はフィルタ枠体６０を備えているので、室内機本体１に取り付けられたフィルタ保持枠５に取り外し自在に装着することができ、フィルタ枠体６０に取り付けられた放電極５１、対向電極２及び集塵用電極５３、５４の洗浄を容易に行うことができる。
【００５３】
さらに、フィルタ枠体６０はフィルタ枠体本体６１とフィルタ枠体本体６１と分離自在に形成された電極枠体６２とを備えているので、フィルタ枠体本体６１に取り付けれた放電極５１と電極枠体６２に取り付けられた対向電極５２と集塵用電極５３、５４とを、狭い空間内で閉じこめられたままではなく互いに分離して洗浄や補修等を行うことができ、電気集塵フィルタ部１０のメインテナンスを容易に行うことができる。
【００５４】
捕獲電極５３と対向電極５２とが一体的に第１電極枠体６３に取り付けられているので、洗浄や補修等のメインタンスを容易に行うことができる。
【００５５】
第１電極枠体６３と第２電極枠体６４とは、互いに分離自在に電極枠体本体６１に取り外し自在に形成されているので、第１電極枠体６３に取り付けられた対向電極５２及び放電極５３と第２電極枠体６４に取り付けられた反捕獲電極５４とを、狭い空間内で閉じこめられたままではなく互いに分離して洗浄や補修等を行うことができ、電気集塵フィルタ部１０のメインテナンスを容易に行うことができる。
【００５６】
荷電用電極５１、５２と集塵用電極５３、５４に高電圧を印加する高圧電源５５を室内機本体１に取り付けられたフィルタ保持枠５に配設したので、洗浄を必要とするフィルタ本体１０のみを容易に取り外すことができる。
【００５７】
なお、放電極５１を高電位にし対向電極５２をグランド電位にしたが、放電極５１をグランド電位にし対向電極５２を高電位にしてもよい。
【００５８】
また、放電極５１は線状の形状を有し、対向電極５２は板状の形状を有するとしたが、各々他の形状を有していてもよい。
【００５９】
【発明の効果】
以上説明したように、本発明の構成によれば、電気集塵フィルタ部は、室内機本体に取り付けられたフィルタ保持枠と、フィルタ保持枠に取り外し自在に装着されるフィルタ本体とを備え、フィルタ本体は、放電極と対向電極と集塵用電極とが取り付けられるとともにフィルタ保持枠に取り外し自在に形成されたフィルタ枠体を有し、フィルタ枠体は、放電極が取り付けられるフィルタ枠体本体と、フィルタ枠体本体と分離自在に形成され対向電極及び集塵用電極が取り付けられる電極枠体とを有するので、フィルタ本体をフィルタ保持枠から取り外してフィルタ本体を洗浄することで放電極、対向電極、集塵用電極をすべてを同時に洗浄することができ、さらに取り外したフィルタ本体をフィルタ枠体本体と電極枠体とに分離でき、フィルタ枠体本体に取り付けれた放電極と電極枠体に取り付けられた対向電極と集塵用電極とを、狭い空間内で閉じこめられたままではなく互いに分離して洗浄や補修等を行うことができ、電気集塵フィルタ部のメインテナンスを容易に行うことができる。
【図面の簡単な説明】
【図１】本願発明の空気調和機の室内機本体に配設された電気集塵フィルタ部を示す平面図。
【図２】フィルタ保持枠を示す平面図。
【図３】フィルタ本体を示す平面図。
【図４】電極枠体に取り付けられた対向電極と捕獲電極と反捕獲電極を示す平面図（ａ）とそれに対応する側面図（ｂ）。
【図５】電極枠体本体に取り付けられた放電極を平面図（ａ）とそれに対応する側面図（ｂ）。
【図６】放電極と対向電極と捕獲電極と反捕獲電極との配置関係を示す斜視図。
【図７】放電極と対向電極と捕獲電極と反捕獲電極の概略構成とそれらの作用を説明する図。
【図８】本願発明の空気調和機におけるフィルタ保持枠の概略構成を示す斜視図。
【図９】本願発明の空気調和機におけるフィルタ本体を示す平面図。
【図１０】本願発明の空気調和機における電気集塵フィルタ部において、フィルタ本体がフィルタ保持枠に取り付けられている状態を示す断面図。
【図１１】本願発明の空気調和機における電気集塵フィルタ部において、フィルタ本体がフィルタ保持枠から取り外される手順を示す断面図。
【図１２】室内機本体の前面側にある吸込グリルを開け、プレフィルタを外し、さらに室内機本体に取り付けられたフィルタ保持枠からフィルタ本体と脱臭フィルタを取り外した状態を示す斜視図。
【図１３】従来の空気調和機の室内機本体に設けられた電気集塵フィルタ部を示す平面図。
【図１４】従来の電気集塵フィルタ部における対向電極部を示す平面図。
【図１５】従来の電気集塵フィルタ部における放電極部を示す平面図。
【図１６】従来の電気集塵フィルタ部における集電部を示す平面図。
【図１７】従来の電気集塵フィルタ部におけるフィルタ枠体を示す平面図。
【符号の説明】
１  室内機本体
５  フィルタ保持枠
７  フィルタ本体
１０  電気集塵フィルタ部
２０  フィルタ保持板
２２  係止部
２４  案内溝
３１  係合部
３２  案内突起部
５０  塵
５０ａ  荷電した塵
５１  放電極
５２  対向電極
５３  捕獲電極
５４  反捕獲電極
５５  高圧電源
６０  フィルタ枠体
６１  フィルタ枠体本体
６１ａ，６１ｂ，６１ｃ  突起用孔
６２  電極枠体
６２ａ，６２ｂ，突起６２ｃ  突起
６３  第１電極枠体
６４  第２電極枠体
【図１】
0003854387.tif 000002
【図２】
0003854387.tif 000003
【図３】
0003854387.tif 000004
【図４】
0003854387.tif 000005
【図５】
0003854387.tif 000006
【図６】
0003854387.tif 000007
【図７】
0003854387.tif 000008
【図８】
0003854387.tif 000009
【図９】
0003854387.tif 000010
【図１０】
0003854387.tif 000011
【図１１】
0003854387.tif 000012
【図１２】
0003854387.tif 000013
【図１３】
0003854387.tif 000014
【図１４】
0003854387.tif 000015
【図１５】
0003854387.tif 000016
【図１６】
0003854387.tif 000017
【図１７】
0003854387.tif 000018